(57)【要約】      （修正有）【課題】包装箱において、内箱部の正面側に商品の広告や説明等を記載したカードを収納するための収納部が設けられ、該収納部を容易に組み立てることができる包装箱を提供する。【解決手段】正面部１０は、正面本体部１２と、折り出し板部２００、２０２と、ポケット正面板部２１０と、ポケット背面板部２２０と、ポケット中間板部２３０とを有し、折り出し板部２００、２０２を正面側に引き出してポケット中間板部２３０とポケット背面板部２２０とを背面側に折り曲げて、係止片２２４を一対の折り出し板部間の開口部に挿通することによりポケットが形成される。【選択図】図７
0003168874.tif 000002
【実用新案登録請求の範囲】
【請求項１】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部とミシン目状の切込みを有する第１切目線を介して分離可能に形成され、１枚のシート状のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含みミシン目状の切込み又は連続した切込みを有する第２切目線を介して形成された片部が該外側側面部の他の部分に対して回動可能に形成され、１枚のシート状のブランクにより形成された外箱部と、
を有し、
外側側面部における分離部が接着された片部を第２切目線を介して片部を該外側側面部の他の部分に対して回動させることにより、第１切目線が破断して分離部が第１片部に接着した状態のまま内箱部から分離し、
内箱部の内側正面部は、１枚のシート状のブランクにより形成され、正面本体部と、折り出し板部と、ポケット正面板部と、ポケット背面板部と、ポケット中間板部とを有し、
正面本体部は、一対の内側側面部から折れ線を介して連設され、正面本体部と折り出し板部とは方形状の領域内に形成され、該方形状の領域には、該方形状の領域の水平な上辺から該上辺に対して垂直方向に形成された一対の第３切目線と、該一対の第３切目線の内側に形成された一対の第４切目線で該上辺から該上辺に対して垂直方向に直線状に形成された第１構成部と、第１構成部の下端から連設され下方に行くに従い他の一方の第４切目線側に傾斜した直線状に形成された第２構成部と、第２構成部の下端から連設され該上辺に対して垂直方向に形成された第３構成部とを有し一対の第３構成部間の長さが一対の第１構成部間の長さよりも小さく形成された第４切目線と、一方の第３切目線の下端と一対の第４切目線において該一方の第３切目線に近い位置の第４切目線である一方の第４切目線の下端とを結ぶ水平な第１折れ線と、他方の第３切目線の下端と一対の第４切目線において該他方の第３切目線に近い位置の第４切目線である他方の第４切目線の下端とを結ぶ水平な第２折れ線とが形成され、第１折れ線と一方の第３切目線と一方の第４切目線と該方形状の領域の上辺の一部をなし一方の第３切目線の上端と一方の第４切目線の上端を結ぶ第３折れ線とで囲まれた領域と、第２折れ線と他方の第３切目線と他方の第４切目線と該方形状の領域の上辺の一部をなし他方の第３切目線の上端と他方の第４切目線の上端を結ぶ第４折れ線とで囲まれた領域とが折り出し板部となり、方形状の領域における一対の折り出し板部以外の領域が正面本体部となり、
ポケット正面板部は、第３折れ線及び第４折れ線を介して連設されるとともに、一対の第４切目線の上端を結ぶ第５切目線を介して正面本体部と隣接したポケット正面板部本体部と、ポケット正面板部本体部の折り出し板部側とは反対側における左右両側から折り出し板部側とは反対側に突出して形成された突状部を有し、全体に凹状を呈し、
ポケット背面板部は、ポケット正面板部における一対の突状部のポケット正面部本体部側とは反対側の辺部である水平な第５折れ線を介して連設されたポケット背面板部本体部と、ポケット背面板部本体部のポケット正面板部側とは反対側に形成された係止片を有し、該係止片は、ポケット背面板部本体部側の幅狭部と、該幅狭部のポケット背面板部本体部側とは反対側に連設され、幅狭部よりも水平方向に幅広に形成された幅広部とを有し、
ポケット中間板部は、ポケット正面板部とポケット背面板部に囲まれた領域内に形成され、ポケット正面板部のポケット正面板部本体部のポケット背面板部側の辺部である第６折れ線を介して連設され、
第３切目線と第４切目線と第５切目線は、ミシン目状の切込み又は連続した切込みを有し、
幅広部の水平方向の幅は、一対の第１構成部間の長さ以下で、かつ、一対の第３構成部間の長さよりも大きく形成され、幅狭部の水平方向の幅は、一対の第３構成部間の長さ以下に形成され、
折り出し板部を正面本体部に対して正面側に第１折れ線及び第２折れ線を中心に折り曲げ、ポケット背面板部をポケット正面板部に対して背面側に第５折れ線を中心に折り曲げるとともに、ポケット中間板部をポケット正面板部に対して背面側に第６折れ線を中心に折り曲げ、ポケット正面板部を一対の折り出し板部に対して背面側に第３折れ線及び第４折れ線を中心に折り曲げ、ポケット背面板部によりポケット中間板部を押しながら係止片を一対の折り出し板部間の開口部における一対の第１構成部間の領域に挿通することにより、ポケット背面板部がポケット正面板部に対して折曲げ状態から戻ろうとして係止片が該開口部における第３構成部間の領域に移動して係止片が一対の折り出し板部に係止し、ポケット中間板部とポケット背面板部の間に収納空間を形成することを特徴とする包装箱。
【請求項２】
ポケット中間板部が、第６折れ線を介して連設されたポケット中間板部本体部と、ポケット中間板部本体部の第６折れ線側とは反対側に突出した第２突状部を有することにより、ポケット中間板部が凸状に形成され、第２突状部の水平方向の幅が、一対の第１構成部間の長さ以下で、かつ、一対の第３構成部間の長さよりも大きく形成され、第２突状部が、一対の折り出し板部間の開口部における一対の第１構成部の間又は一対の第２構成部の間に嵌合することを特徴とする請求項１に記載の包装箱。
【請求項３】
ポケット中間板部が、第６折れ線を介して連設されたポケット中間板部本体部と、ポケット中間板部本体部の第６折れ線側とは反対側に突出した第２突状部を有することにより、ポケット中間板部が凸状に形成され、第２突状部の水平方向の幅が、一対の第１構成部間の長さと略同一であり、第２突状部が、一対の折り出し板部間の開口部における一対の第１構成部の間に嵌合することを特徴とする請求項１に記載の包装箱。
【請求項４】
ポケット中間板部が、ポケット正面板部の一対の突状部及びポケット背面板部と、連続した切込みにより形成された第６切目線を介して隣接していることを特徴とする請求項１又は２又は３に記載の包装箱。
【請求項５】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部とミシン目状の切込みを有する第１切目線を介して分離可能に形成され、１枚のシート状のブランクにより形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含みミシン目状の切込み又は連続した切込みを有する第２切目線を介して形成された片部が該外側側面部の他の部分に対して回動可能に形成され、１枚のシート状のブランクにより形成された外箱部と、
を有し、
外側側面部における分離部が接着された片部を第２切目線を介して片部を該外側側面部の他の部分に対して回動させることにより、第１切目線が破断して分離部が第１片部に接着した状態のまま内箱部から分離し、
内箱部の内側正面部は、１枚のシート状のブランクにより形成され、正面本体部と、折り出し板部と、ポケット正面板部と、ポケット背面板部と、ポケット中間板部とを有し、
正面本体部は、一対の内側側面部から折れ線を介して連設され、正面本体部と折り出し板部とは方形状の領域内に形成され、該方形状の領域には、該方形状の領域の水平な上辺から該上辺に対して垂直方向に形成された一対の第３切目線と、該一対の第３切目線の内側に形成された一対の第４切目線で該上辺から該上辺に対して垂直方向に直線状に形成された第１構成部と、第１構成部の下端から連設され下方に行くに従い他の一方の第４切目線側に傾斜した直線状に形成された第２構成部と、第２構成部の下端から連設され該上辺に対して垂直方向に形成された第３構成部とを有し一対の第３構成部間の長さが一対の第１構成部間の長さよりも小さく形成された第４切目線と、一方の第３切目線の下端と一対の第４切目線において該一方の第３切目線に近い位置の第４切目線である一方の第４切目線の下端とを結ぶ水平な第１折れ線と、他方の第３切目線の下端と一対の第４切目線において該他方の第３切目線に近い位置の第４切目線である他方の第４切目線の下端とを結ぶ水平な第２折れ線とが形成され、第１折れ線と一方の第３切目線と一方の第４切目線と該方形状の領域の上辺の一部をなし一方の第３切目線の上端と一方の第４切目線の上端を結ぶ第３折れ線とで囲まれた領域と、第２折れ線と他方の第３切目線と他方の第４切目線と該方形状の領域の上辺の一部をなし他方の第３切目線の上端と他方の第４切目線の上端を結ぶ第４折れ線とで囲まれた領域とが折り出し板部となり、方形状の領域における一対の折り出し板部以外の領域が正面本体部となり、
ポケット正面板部は、第３折れ線及び第４折れ線を介して連設されるとともに、一対の第４切目線の上端を結ぶ第５切目線を介して正面本体部と隣接したポケット正面板部本体部と、ポケット正面板部本体部の折り出し板部側とは反対側における左右両側から折り出し板部側とは反対側に突出して形成された突状部を有し、全体に凹状を呈し、
ポケット背面板部は、ポケット正面板部における一対の突状部のポケット正面部本体部側とは反対側の辺部である水平な第５折れ線を介して連設されたポケット背面板部本体部と、ポケット背面板部本体部のポケット正面板部側とは反対側に形成された係止片を有し、該係止片は、ポケット背面板部本体部側の幅狭部と、該幅狭部のポケット背面板部本体部側とは反対側に連設され、幅狭部よりも水平方向に幅広に形成された幅広部とを有し、
ポケット中間板部は、ポケット正面板部とポケット背面板部に囲まれた領域内に形成され、ポケット正面板部のポケット正面板部本体部のポケット背面板部側の辺部である第６折れ線を介して連設されるとともに、ポケット正面板部の一対の突状部及びポケット背面板部と連続した切込みにより形成された第６切目線を介して隣接し、ポケット中間板部は、第６折れ線を介して連設されたポケット中間板部本体部と、ポケット中間板部本体部の第６折れ線側とは反対側に突出した第２突状部を有していて、ポケット中間板部が凸状に形成され、
第３切目線と第４切目線と第５切目線と第６切目線は、ミシン目状の切込み又は連続した切込みを有し、
幅広部の水平方向の幅は、一対の第１構成部間の長さ以下で、かつ、一対の第３構成部間の長さよりも大きく形成され、幅狭部の水平方向の幅は、一対の第３構成部間の長さ以下に形成され、第２突状部の水平方向の幅が、一対の第１構成部間の長さと略同一であり、第２突状部が、一対の折り出し板部間の開口部における一対の第１構成部の間に嵌合し、
折り出し板部を正面本体部に対して正面側に第１折れ線及び第２折れ線を中心に折り曲げ、ポケット背面板部をポケット正面板部に対して背面側に第５折れ線を中心に折り曲げるとともに、ポケット中間板部をポケット正面板部に対して背面側に第６折れ線を中心に折り曲げ、ポケット正面板部を一対の折り出し板部に対して背面側に第３折れ線及び第４折れ線を中心に折り曲げ、ポケット背面板部によりポケット中間板部を押しながら係止片を一対の折り出し板部間の開口部における一対の第１構成部間の領域に挿通することにより、ポケット背面板部がポケット正面板部に対して折曲げ状態から戻ろうとして係止片が該開口部における第３構成部間の領域に移動して係止片が一対の折り出し板部に係止し、第２突状部を一対の折り出し板部間の開口部における一対の第１構成部の間に嵌合させることによりポケット中間板部とポケット背面板部の間に収納空間を形成することを特徴とする包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるものとして特許文献１〜８に示す先行技術文献についての出願を行っている。
【０００３】
特に、内箱部の正面側に商品の広告や説明等を記載したカードを収納するための収納部を設けたものとして、特許文献４に記載の包装箱が存在する。
【先行技術文献】
【特許文献】
【０００４】
【特許文献１】実用新案登録第３１３９９４８号公報
【特許文献２】実用新案登録第３１４７０８３号公報
【特許文献３】実用新案登録第３１４７０８４号公報
【特許文献４】実用新案登録第３１４７０８５号公報
【特許文献５】実用新案登録第３１４７０８６号公報
【特許文献６】実用新案登録第３１４７１７３号公報
【特許文献７】実用新案登録第３１４８５６６号公報
【特許文献８】実用新案登録第３１５１３５５号公報
【考案の概要】
【考案が解決しようとする課題】
【０００５】
しかし、内箱部の正面側に商品の広告や説明等を記載したカードを収納するための収納部が設けられ、該収納部を容易に組み立てることができるものが要望されていた。
【０００６】
そこで、本考案が解決しようとする問題点は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部の正面側に商品の広告や説明等を記載したカードを収納するための収納部が設けられ、該収納部を容易に組み立てることができる包装箱を提供することである。
【課題を解決するための手段】
【０００７】
本考案は上記問題点を解決するために創作されたものであって、第１には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部とミシン目状の切込みを有する第１切目線を介して分離可能に形成され、１枚のシート状のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含みミシン目状の切込み又は連続した切込みを有する第２切目線を介して形成された片部が該外側側面部の他の部分に対して回動可能に形成され、１枚のシート状のブランクにより形成された外箱部と、を有し、外側側面部における分離部が接着された片部を第２切目線を介して片部を該外側側面部の他の部分に対して回動させることにより、第１切目線が破断して分離部が第１片部に接着した状態のまま内箱部から分離し、内箱部の内側正面部は、１枚のシート状のブランクにより形成され、正面本体部と、折り出し板部と、ポケット正面板部と、ポケット背面板部と、ポケット中間板部とを有し、正面本体部は、一対の内側側面部から折れ線を介して連設され、正面本体部と折り出し板部とは方形状の領域内に形成され、該方形状の領域には、該方形状の領域の水平な上辺から該上辺に対して垂直方向に形成された一対の第３切目線と、該一対の第３切目線の内側に形成された一対の第４切目線で該上辺から該上辺に対して垂直方向に直線状に形成された第１構成部と、第１構成部の下端から連設され下方に行くに従い他の一方の第４切目線側に傾斜した直線状に形成された第２構成部と、第２構成部の下端から連設され該上辺に対して垂直方向に形成された第３構成部とを有し一対の第３構成部間の長さが一対の第１構成部間の長さよりも小さく形成された第４切目線と、一方の第３切目線の下端と一対の第４切目線において該一方の第３切目線に近い位置の第４切目線である一方の第４切目線の下端とを結ぶ水平な第１折れ線と、他方の第３切目線の下端と一対の第４切目線において該他方の第３切目線に近い位置の第４切目線である他方の第４切目線の下端とを結ぶ水平な第２折れ線とが形成され、第１折れ線と一方の第３切目線と一方の第４切目線と該方形状の領域の上辺の一部をなし一方の第３切目線の上端と一方の第４切目線の上端を結ぶ第３折れ線とで囲まれた領域と、第２折れ線と他方の第３切目線と他方の第４切目線と該方形状の領域の上辺の一部をなし他方の第３切目線の上端と他方の第４切目線の上端を結ぶ第４折れ線とで囲まれた領域とが折り出し板部となり、方形状の領域における一対の折り出し板部以外の領域が正面本体部となり、ポケット正面板部は、第３折れ線及び第４折れ線を介して連設されるとともに、一対の第４切目線の上端を結ぶ第５切目線を介して正面本体部と隣接したポケット正面板部本体部と、ポケット正面板部本体部の折り出し板部側とは反対側における左右両側から折り出し板部側とは反対側に突出して形成された突状部を有し、全体に凹状を呈し、ポケット背面板部は、ポケット正面板部における一対の突状部のポケット正面部本体部側とは反対側の辺部である水平な第５折れ線を介して連設されたポケット背面板部本体部と、ポケット背面板部本体部のポケット正面板部側とは反対側に形成された係止片を有し、該係止片は、ポケット背面板部本体部側の幅狭部と、該幅狭部のポケット背面板部本体部側とは反対側に連設され、幅狭部よりも水平方向に幅広に形成された幅広部とを有し、ポケット中間板部は、ポケット正面板部とポケット背面板部に囲まれた領域内に形成され、ポケット正面板部のポケット正面板部本体部のポケット背面板部側の辺部である第６折れ線を介して連設され、第３切目線と第４切目線と第５切目線は、ミシン目状の切込み又は連続した切込みを有し、幅広部の水平方向の幅は、一対の第１構成部間の長さ以下で、かつ、一対の第３構成部間の長さよりも大きく形成され、幅狭部の水平方向の幅は、一対の第３構成部間の長さ以下に形成され、折り出し板部を正面本体部に対して正面側に第１折れ線及び第２折れ線を中心に折り曲げ、ポケット背面板部をポケット正面板部に対して背面側に第５折れ線を中心に折り曲げるととも、ポケット中間板部をポケット正面板部に対して背面側に第６折れ線を中心に折り曲げ、ポケット正面板部を一対の折り出し板部に対して背面側に第３折れ線及び第４折れ線を中心に折り曲げ、ポケット背面板部によりポケット中間板部を押しながら係止片を一対の折り出し板部間の開口部における一対の第１構成部間の領域に挿通することにより、ポケット背面板部がポケット正面板部に対して折曲げ状態から戻ろうとして係止片が該開口部における第３構成部間の領域に移動して係止片が一対の折り出し板部に係止し、ポケット中間板部とポケット背面板部の間に収納空間を形成することを特徴とする。
【０００８】
上記第１の構成の包装箱においては、蓋部を開けた状態として、包装箱の上方から複数の被収納物（商品）を内箱部内に収納する。その後、蓋部を閉状態にして、接着テープにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における分離部が接着された片部を第２切目線を介して外側側面部の他の部分に対して回動させることにより、第１切目線が破断して分離部が第１片部に接着した状態のまま内箱部から分離させ、その後、外箱部を上方に引き上げることにより、被収納物を収納した状態で、かつ、分離部が分離した状態の内箱部が残るので、被収納物を内箱部に収納した状態で被収納物を陳列する。また、内側正面部における正面本体部以外の部材を組み立てることにより、商品の広告や説明等を記載したカードを収納するポケットを形成する。
【０００９】
ポケットを組み立てるには、折り出し板部を正面本体部に対して正面側に第１折れ線及び第２折れ線を中心に折り曲げ、ポケット背面板部をポケット正面板部に対して背面側に第５折れ線を中心に折り曲げるととも、ポケット中間板部をポケット正面板部に対して背面側に第６折れ線を中心に折り曲げ、ポケット正面板部を一対の折り出し板部に対して背面側に第３折れ線及び第４折れ線を中心に折り曲げ、ポケット背面板部によりポケット中間板部を押しながら係止片を一対の折り出し板部間の開口部における一対の第１構成部間の領域に挿通することにより組み立てることができ、特に、折り出し板部を正面本体部に対して正面側に第１折れ線及び第２折れ線を中心に折り曲げる操作や、ポケット背面板部をポケット正面板部に対して背面側に第５折れ線を中心に折り曲げるとともに、ポケット中間板部をポケット正面板部に対して背面側に第６折れ線を中心に折り曲げる操作や、ポケット正面板部を一対の折り出し板部に対して背面側に第３折れ線及び第４折れ線を中心に折り曲げ、ポケット背面板部によりポケット中間板部を押しながら係止片を一対の折り出し板部間の開口部における一対の第１構成部間の領域に挿通する操作は、片手で行なうことができるので、極めて簡単にポケットの組立てを行なうことができる。
【００１０】
また、本考案の包装箱においては、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。
【００１１】
また、第２には、上記第１の構成において、ポケット中間板部が、第６折れ線を介して連設されたポケット中間板部本体部と、ポケット中間板部本体部の第６折れ線側とは反対側に突出した第２突状部を有することにより、ポケット中間板部が凸状に形成され、第２突状部の水平方向の幅が、一対の第１構成部間の長さ以下で、かつ、一対の第３構成部間の長さよりも大きく形成され、第２突状部が、一対の折り出し板部間の開口部における一対の第１構成部の間又は一対の第２構成部の間に嵌合することを特徴とする。
【００１２】
よって、第２突状部の水平方向の幅が、一対の第１構成部間の長さ以下で、かつ、一対の第３構成部間の長さよりも大きく形成され、第２突状部が、一対の折り出し板部間の開口部における一対の第１構成部の間又は一対の第２構成部の間に嵌合するので、ポケット背面板部とポケット中間板部との間隔を前後方向に確保でき、カードを収納する空間を前後方向に確保できるので、カードを収納部に収納するのに支障となることがない。
【００１３】
また、第３には、上記第１の構成において、ポケット中間板部が、第６折れ線を介して連設されたポケット中間板部本体部と、ポケット中間板部本体部の第６折れ線側とは反対側に突出した第２突状部を有することにより、ポケット中間板部が凸状に形成され、第２突状部の水平方向の幅が、一対の第１構成部間の長さと略同一であり、第２突状部が、一対の折り出し板部間の開口部における一対の第１構成部の間に嵌合することを特徴とする。よって、ポケット中間板部の第２突状部が、一対の折り出し板部間の開口部における一対の第１構成部の間に嵌合するので、ポケット背面板部とポケット中間板部との間隔を前後方向により大きく確保でき、カードを収納する空間を前後方向に確保できるので、カードを収納部に収納するのに支障となることがない。
【００１４】
また、第４には、上記第１から第３までのいずれかの構成において、ポケット中間板部が、ポケット正面板部の一対の突状部及びポケット背面板部と、連続した切込みにより形成された第６切目線を介して隣接していることを特徴とする。
【００１５】
また、第５には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の一部が分離部として内側側面部における分離部以外の部分である内側側面部本体部とミシン目状の切込みを有する第１切目線を介して分離可能に形成され、１枚のシート状のブランクにより形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から折れ線を介して連設された蓋部とを有し、内箱部における分離部が設けられた内側側面部に対応した外側側面部に分離部が接着され、外側側面部における分離部が接着された領域を含みミシン目状の切込み又は連続した切込みを有する第２切目線を介して形成された片部が該外側側面部の他の部分に対して回動可能に形成され、１枚のシート状のブランクにより形成された外箱部と、を有し、外側側面部における分離部が接着された片部を第２切目線を介して片部を該外側側面部の他の部分に対して回動させることにより、第１切目線が破断して分離部が第１片部に接着した状態のまま内箱部から分離し、内箱部の内側正面部は、１枚のシート状のブランクにより形成され、正面本体部と、折り出し板部と、ポケット正面板部と、ポケット背面板部と、ポケット中間板部とを有し、正面本体部は、一対の内側側面部から折れ線を介して連設され、正面本体部と折り出し板部とは方形状の領域内に形成され、該方形状の領域には、該方形状の領域の水平な上辺から該上辺に対して垂直方向に形成された一対の第３切目線と、該一対の第３切目線の内側に形成された一対の第４切目線で該上辺から該上辺に対して垂直方向に直線状に形成された第１構成部と、第１構成部の下端から連設され下方に行くに従い他の一方の第４切目線側に傾斜した直線状に形成された第２構成部と、第２構成部の下端から連設され該上辺に対して垂直方向に形成された第３構成部とを有し一対の第３構成部間の長さが一対の第１構成部間の長さよりも小さく形成された第４切目線と、一方の第３切目線の下端と一対の第４切目線において該一方の第３切目線に近い位置の第４切目線である一方の第４切目線の下端とを結ぶ水平な第１折れ線と、他方の第３切目線の下端と一対の第４切目線において該他方の第３切目線に近い位置の第４切目線である他方の第４切目線の下端とを結ぶ水平な第２折れ線とが形成され、第１折れ線と一方の第３切目線と一方の第４切目線と該方形状の領域の上辺の一部をなし一方の第３切目線の上端と一方の第４切目線の上端を結ぶ第３折れ線とで囲まれた領域と、第２折れ線と他方の第３切目線と他方の第４切目線と該方形状の領域の上辺の一部をなし他方の第３切目線の上端と他方の第４切目線の上端を結ぶ第４折れ線とで囲まれた領域とが折り出し板部となり、方形状の領域における一対の折り出し板部以外の領域が正面本体部となり、ポケット正面板部は、第３折れ線及び第４折れ線を介して連設されるとともに、一対の第４切目線の上端を結ぶ第５切目線を介して正面本体部と隣接したポケット正面板部本体部と、ポケット正面板部本体部の折り出し板部側とは反対側における左右両側から折り出し板部側とは反対側に突出して形成された突状部を有し、全体に凹状を呈し、ポケット背面板部は、ポケット正面板部における一対の突状部のポケット正面部本体部側とは反対側の辺部である水平な第５折れ線を介して連設されたポケット背面板部本体部と、ポケット背面板部本体部のポケット正面板部側とは反対側に形成された係止片を有し、該係止片は、ポケット背面板部本体部側の幅狭部と、該幅狭部のポケット背面板部本体部側とは反対側に連設され、幅狭部よりも水平方向に幅広に形成された幅広部とを有し、ポケット中間板部は、ポケット正面板部とポケット背面板部に囲まれた領域内に形成され、ポケット正面板部のポケット正面板部本体部のポケット背面板部側の辺部である第６折れ線を介して連設されるとともに、ポケット正面板部の一対の突状部及びポケット背面板部と連続した切込みにより形成された第６切目線を介して隣接し、ポケット中間板部は、第６折れ線を介して連設されたポケット中間板部本体部と、ポケット中間板部本体部の第６折れ線側とは反対側に突出した第２突状部を有していて、ポケット中間板部が凸状に形成され、第３切目線と第４切目線と第５切目線と第６切目線は、ミシン目状の切込み又は連続した切込みを有し、幅広部の水平方向の幅は、一対の第１構成部間の長さ以下で、かつ、一対の第３構成部間の長さよりも大きく形成され、幅狭部の水平方向の幅は、一対の第３構成部間の長さ以下に形成され、第２突状部の水平方向の幅が、一対の第１構成部間の長さと略同一であり、第２突状部が、一対の折り出し板部間の開口部における一対の第１構成部の間に嵌合し、折り出し板部を正面本体部に対して正面側に第１折れ線及び第２折れ線を中心に折り曲げ、ポケット背面板部をポケット正面板部に対して背面側に第５折れ線を中心に折り曲げるとともに、ポケット中間板部をポケット正面板部に対して背面側に第６折れ線を中心に折り曲げ、ポケット正面板部を一対の折り出し板部に対して背面側に第３折れ線及び第４折れ線を中心に折り曲げ、ポケット背面板部によりポケット中間板部を押しながら係止片を一対の折り出し板部間の開口部における一対の第１構成部間の領域に挿通することにより、ポケット背面板部がポケット正面板部に対して折曲げ状態から戻ろうとして係止片が該開口部における第３構成部間の領域に移動して係止片が一対の折り出し板部に係止し、第２突状部を一対の折り出し板部間の開口部における一対の第１構成部の間に嵌合させることによりポケット中間板部とポケット背面板部の間に収納空間を形成することを特徴とする。
【００１６】
上記第５の構成の包装箱においては、蓋部を開けた状態として、包装箱の上方から複数の被収納物（商品）を内箱部内に収納する。その後、蓋部を閉状態にして、接着テープにより蓋部を封止する。被収納物を包装箱に包装したら、被収納物を収納した包装箱を被収納物を陳列する場所に搬送する。その後、被収納物を陳列する場合には、外箱部を内箱部から分離する。すなわち、外側側面部における分離部が接着された片部を第２切目線を介して外側側面部の他の部分に対して回動させることにより、第１切目線が破断して分離部が第１片部に接着した状態のまま内箱部から分離させ、その後、外箱部を上方に引き上げることにより、被収納物を収納した状態で、かつ、分離部が分離した状態の内箱部が残るので、被収納物を内箱部に収納した状態で被収納物を陳列する。また、内側正面部を組み立てることにより、商品の広告や説明等を記載したカードを収納するポケットを形成する。
【００１７】
ポケットを組み立てるには、折り出し板部を正面本体部に対して正面側に第１折れ線及び第２折れ線を中心に折り曲げ、ポケット背面板部をポケット正面板部に対して背面側に第５折れ線を中心に折り曲げるとともに、ポケット中間板部をポケット正面板部に対して背面側に第６折れ線を中心に折り曲げ、ポケット正面板部を一対の折り出し板部に対して背面側に第３折れ線及び第４折れ線を中心に折り曲げ、ポケット背面板部によりポケット中間板部を押しながら係止片を一対の折り出し板部間の開口部における一対の第１構成部間の領域に挿通することにより組み立てることができ、特に、折り出し板部を正面本体部に対して正面側に第１折れ線及び第２折れ線を中心に折り曲げる操作や、ポケット背面板部をポケット正面板部に対して背面側に第５折れ線を中心に折り曲げるとともに、ポケット中間板部をポケット正面板部に対して背面側に第６折れ線を中心に折り曲げる操作や、ポケット正面板部を一対の折り出し板部に対して背面側に第３折れ線及び第４折れ線を中心に折り曲げ、ポケット背面板部によりポケット中間板部を押しながら係止片を一対の折り出し板部間の開口部における一対の第１構成部間の領域に挿通する操作は、片手で行なうことができるので、極めて簡単にポケットの組立てを行なうことができる。
【００１８】
また、ポケット中間板部の第２突状部が、一対の折り出し板部間の開口部における一対の第１構成部の間に嵌合するので、ポケット背面板部とポケット中間板部との間隔を前後方向により大きく確保でき、カードを収納する空間を前後方向に確保できるので、カードを収納部に収納するのに支障となることがない。また、本考案の包装箱においては、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。
【考案の効果】
【００１９】
本考案に基づく包装箱によれば、内側正面部における正面本体部以外の部材により形成されるポケットを容易に組み立てることができ、折り出し板部を正面本体部に対して正面側に第１折れ線及び第２折れ線を中心に折り曲げる操作や、ポケット背面板部をポケット正面板部に対して背面側に第５折れ線を中心に折り曲げるととも、ポケット中間板部をポケット正面板部に対して背面側に第６折れ線を中心に折り曲げる操作や、ポケット正面板部を一対の折り出し板部に対して背面側に第３折れ線及び第４折れ線を中心に折り曲げ、ポケット背面板部によりポケット中間板部を押しながら係止片を一対の折り出し板部間の開口部における一対の第１構成部間の領域に挿通する操作は、片手で行なうことができるので、極めて簡単にポケットの組立てを行なうことができる。
【００２０】
また、本考案の包装箱においては、包装箱に対して上方から被収納物である商品を収納して、蓋部を閉じて封止するのみであるので、容易に被収納物（商品）の梱包作業を行うことができ、また、片部を外側に回動させて、分離部を内箱部から分離して外箱部を上方に引き上げるのみで陳列することができるので、陳列作業を容易に行なうことができる。
【図面の簡単な説明】
【００２１】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく包装箱の底面図である。
【図５】本考案の実施例に基づく包装箱の平面図である。
【図６】内箱部の展開図である。
【図７】図６における要部説明図である。
【図８】外箱部の展開図である。
【図９】包装箱を折り畳んだ状態を示す斜視図である。
【図１０】包装箱を折り畳んだ際の内箱部の折り畳み状態を示す斜視図である。
【図１１】包装箱の使用状態を示す斜視図である。
【図１２】包装箱の使用状態を示す斜視図である。
【図１３】包装箱の使用状態を示す斜視図である。
【図１４】包装箱の使用状態を示す斜視図である。
【図１５】ポケット構成部の組立て工程を示す斜視図である。
【図１６】ポケット構成部の組立て工程を示す斜視図である。
【図１７】ポケット構成部の組立て工程を示す斜視図である。
【図１８】ポケット構成部を組み立てた状態を示す斜視図である。
【図１９】ポケット構成部を組み立てた状態を示す斜視図である。
【考案を実施するための形態】
【００２２】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部の正面側に商品の広告や説明等を記載したカードを収納するための収納部が設けられ、該収納部を容易に組み立てることができる包装箱を提供するという目的を以下のようにして実現した。
【００２３】
本考案に基づく包装箱Ａは、図１〜図８等に示すように構成され、内箱部Ａ１と、外箱部Ａ２とを有していて、それぞれが１枚のシート状のブランク（具体的には、段ボール、厚紙等）により形成されている。
【００２４】
内箱部Ａ１は、全体に上部が開口した容器状を呈し、図３、図６等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図６に示すように形成されている。
【００２５】
ここで、図７に示すように、正面部１０は、正面本体部１２と、正面本体部１２から折れ線Ｃ２００を介して連設された折り出し板部２００と、正面本体部１２から折れ線Ｃ２０２を介して連設された折り出し板部２０２と、折り出し板部２００から折れ線Ｃ２１０を介して連設されるとともに、折り出し板部２０２から折れ線Ｃ２１１を介して連設されたポケット正面板部２１０と、ポケット正面板部２１０から折れ線Ｃ２２０、Ｃ２２１を介して連設されたポケット背面板部２２０と、ポケット正面板部２１０から折れ線Ｃ２３０を介して連設されたポケット中間板部２３０とを有している。正面部１０における正面本体部１２以外の構成、すなわち、折り出し板部２００、２０２と、ポケット正面板部２１０と、ポケット背面板部２２０と、ポケット中間板部２３０とがポケット構成部Ｐを構成する。
【００２６】
正面本体部１２は、方形状（具体的には、長方形状）の上側に２つの切欠部を形成した形状を呈し、この２つの切欠部は、折り出し板部２００と同大同形状をなす切欠部と、折り出し板部２０２と同大同形状をなす切欠部となっている。正面本体部１２の上辺と下辺（折れ線Ｃ６０と一致する）は互いに平行に形成され水平方向をなしている。
【００２７】
つまり、長方形状の上辺から該上辺に垂直に形成された直線状の切目線（第３切目線）Ｋ２００と略鉤状の切目線（第４切目線）Ｋ２０１を形成し、切目線Ｋ２００の下端と切目線Ｋ２０１の下端を結ぶ水平（正面本体部１２とフラップ部６０間の折れ線Ｃ６０と平行）な折れ線Ｃ２００を形成することにより、該上辺と一致する折れ線Ｃ２１０と切目線Ｋ２００、Ｋ２０１と折れ線Ｃ２００とで囲まれる領域が折り出し板部２００となる。
【００２８】
なお、切目線Ｋ２００は、ミシン目状の切込み（間隔をおきながら形成された切込み）（切断予定線）により形成され、部分的に切目線Ｋ２００を挟んだ両側がつながっている。また、切目線Ｋ２０１は、正面本体部１２の上辺から垂直に形成され、直線状の切込みにより形成された切目線（第１構成部）Ｋ２０１−１と、切目線Ｋ２０１−１の下端から下方に行くほど内側（つまり、他の一方の第４切目線である切目線Ｋ２０３側（折り出し板部２０２側としてもよい））に傾斜して形成され、直線状の切込みにより形成された切目線（第２構成部）Ｋ２０１−２と、切目線Ｋ２０１−２の下端から切目線Ｋ２０１−１と同方向に形成され、直線状の切込みにより形成された切目線（第３構成部）Ｋ２０１−３とを有していて、切目線Ｋ２０１は、全体に連続した切込みにより形成されている。
【００２９】
また、長方形状の上辺から該上辺に垂直に形成された直線状の切目線（第３切目線）Ｋ２０２と略鉤状の切目線（第４切目線）Ｋ２０３を形成し、切目線Ｋ２０２の下端と切目線Ｋ２０３の下端を結ぶ水平（正面本体部１２とフラップ部６０間の折れ線Ｃ６０と平行）な折れ線Ｃ２０２を形成することにより、該上辺と一致する折れ線Ｃ２１１と切目線Ｋ２０２、Ｋ２０３と折れ線Ｃ２０２とで囲まれる領域が折り出し板部２０２となる。
【００３０】
なお、切目線Ｋ２０２は、ミシン目状の切込み（間隔をおきながら形成された切込み）（切断予定線）により形成され、部分的に切目線Ｋ２０２を挟んだ両側がつながっている。また、切目線Ｋ２０３は、正面本体部１２の上辺から垂直に形成され、直線状の切込みにより形成された切目線（第１構成部）Ｋ２０３−１と、切目線Ｋ２０３−１の下端から下方に行くほど内側（つまり、折り出し板部２００側）に傾斜して形成され、直線状の切込みにより形成された切目線（第２構成部）Ｋ２０３−２と、切目線Ｋ２０３−２の下端から切目線Ｋ２０３−１と同方向に形成され、直線状の切込みにより形成された切目線（第３構成部）Ｋ２０３−３とを有していて、切目線Ｋ２０３は、全体に連続した切込みにより形成されている。
【００３１】
正面本体部１２において、切目線Ｋ２０２は、切目線Ｋ２００と線対称に形成され、切目線Ｋ２０３は、切目線Ｋ２０１と線対称に形成されている。なお、切目線Ｋ２０１−２と切目線Ｋ２０３−２とは、下方に行くほど幅狭となるテーパ状を呈している。
【００３２】
ここで、ポケット正面板部２１０を正面本体部１２に対して正面側に引き出して、折り出し板部２００と折り出し板部２０２を正面本体部１２に対して回動させた際に、折り出し板部２００と折り出し板部２０２間に形成される開口部Ｔは、図１５に示すように、幅広部Ｔ１と、幅変化部Ｔ２と、幅狭部Ｔ３とを有している。なお、幅変化部Ｔ２は、両側がテーパ状に形成されているので、幅広部Ｔ１側から幅狭部Ｔ３側にいくに従い、左右方向の幅が狭くなる。
【００３３】
また、ポケット正面板部２１０は、折り出し板部２００から折れ線Ｃ２１０を介して連設されるとともに、折り出し板部２０２から折れ線Ｃ２１１を介して連設され、全体に凹状を呈している。つまり、切目線Ｋ２３０と切目線Ｋ２３１と折れ線Ｃ２３０とにより切欠部が形成されることにより、ポケット正面板部２１０は、凹状に形成されている。つまり、ポケット正面板部２１０は、長方形状の本体部２１０ａと、本体部２１０ａから突出した一対の突状部２１０ｂとを有している。切目線Ｋ２３０と切目線Ｋ２３１とは、連続した切込みにより形成されている。ポケット正面板部２１０の左右両側の辺部Ｈ２１０ａ、Ｈ２１０ｂは、正面本体部１２の上辺に対して直角に形成され、辺部Ｈ２１０ａと正面本体部１２の左端の間の距離と、辺部Ｈ２１０ｂと正面本体部１２の右端の間の距離は同一に形成されている。また、切目線Ｋ２３０と切目線Ｋ２３１とは、辺部Ｈ２１０ａや辺部Ｈ２１０ｂと平行に形成され、切目線Ｋ２３０と辺部Ｈ２１０ａ間の距離と、切目線Ｋ２３１と辺部Ｈ２１０ｂ間の距離は、同一に形成され、ポケット正面板部２１０は、左右対称の形状となっている。
【００３４】
このポケット正面板部２１０は、正面本体部１２とは、切目線（第５切目線）Ｋ２１０と切目線Ｋ２１１と切目線Ｋ２１２を介して隣接している。つまり、切目線Ｋ２１０は、ミシン目状の切込み（間隔をおきながら形成された切込み）（切断予定線）であり、切目線Ｋ２０１と切目線Ｋ２０３の間に形成されている。また、切目線Ｋ２１１は、連続した切込みであり、切目線Ｋ２００から連設されている。また、切目線Ｋ２１２は、連続した切込みであり、切目線Ｋ２０２から連設されている。
【００３５】
切目線Ｋ２１１と折れ線Ｃ２１０と切目線Ｋ２１０と折れ線Ｃ２１１と切目線Ｋ２１２は、折れ線Ｃ６０と平行な一直線上に形成されている。
【００３６】
また、ポケット背面板部２２０は、ポケット正面板部２１０の折り出し板部２００、２０２側とは反対側の辺部から折れ線Ｃ２２０、Ｃ２２１を介して連設され、略長方形状の一方の辺部から係止片２２４を形成した形状を呈している。
【００３７】
つまり、ポケット背面板部２２０は、略長方形状の本体部２２２と、本体部２２２のポケット正面板部２１０側とは反対側の辺部から突出して形成された係止片２２４とを有している。本体部２２２は、長方形状におけるポケット正面板部２１０側とは反対側の２つの角部にアールを形成し、ポケット正面板部２１０側に扁平な凹部（突状部２３０ｂに対応した凹部）を形成した形状となっている。つまり、折れ線Ｃ２２０と折れ線Ｃ２２１間には、切目線Ｋ２３０と切目線Ｋ２３１とに連設された切目線Ｋ２３２が形成されている。この切目線Ｋ２３２は、全体に連続した切込みにより形成され、切目線Ｋ２３０から連設され折れ線Ｃ２２０の延長線上にある切目線Ｋ２３２−１と、切目線Ｋ２３１から連設され折れ線Ｃ２２１の延長線上にある切目線Ｋ２３２−３と、切目線Ｋ２３２−１と切目線Ｋ２３２−３間に形成された切目線Ｋ２３２−２とを有し、切目線Ｋ２３２−２は、切目線Ｋ２３２−１の内側の端部から切目線Ｋ２３２−１に対して直角な切目線と、切目線Ｋ２３２−３の内側の端部から切目線Ｋ２３２−３に対して直角な切目線と、２つの直角な切目線の端部間を結ぶ切目線とにより略コ字状に形成されている。
【００３８】
また、係止片２２４は、本体部２２２から突出して形成された幅狭部２２５と、幅狭部２２５の先端から連設された幅広部２２６とを有し、幅広部２２６の基端側に幅狭部２２５が連設されていることにより、係止片２２４は、基端側がくびれた形状となっている。幅狭部２２５は、細長の長方形状を呈し、幅広部２２６は、長方形状の両側を円弧状に形成した形状となっていて、左右方向の両側に幅狭部２２５から突出した形状となっている。なお、突出した部分の本体部２２２側の辺部は、幅狭部２２５側にいくほど本体部２２２に近づくように傾斜した直線状に形成され、係止片２２４と本体部２２２との間の切欠部Ｋ２２０、Ｋ２２１が切欠部の開口側にいくほど幅広となるように形成されている。
【００３９】
また、ポケット中間板部２３０は、ポケット正面板部２１０から折れ線Ｃ２３０を介して連設され、略凸状を呈している。つまり、長方形状の本体部２３０ａと、本体部２３０ａから突出した突状部２３０ｂとを有している。つまり、切目線Ｋ２３０と切目線Ｋ２３２と切目線Ｋ２３１と折れ線Ｃ２３０により囲まれた形状を呈し、ポケット中間板部２３０は、折れ線Ｃ２３０と切目線Ｋ２３０、Ｋ２３１を介してポケット正面板部２１０と隣接し、また、ポケット中間板部２３０は、切目線Ｋ２３２を介してポケット背面板部２２０と隣接している。切目線Ｋ２３０、Ｋ２３１、Ｋ２３２は、第６折れ線となる。
【００４０】
なお、幅広部２２６の左右方向の幅をα１、幅狭部２２５の左右方向の幅をα２、ポケット中間板部２３０の突状部２３０ｂの左右方向の幅（つまり、切目線Ｋ２３２−２の左右方向の幅）をα３、切目線Ｋ２０１−１と切目線Ｋ２０３−１間の左右方向の長さをβ１、切目線Ｋ２０１−３と切目線Ｋ２０３−３間の左右方向の長さをβ２とした場合に、幅広部２２６が折り出し板部２００と折り出し板部２０２間に形成される開口部Ｔにおける幅広部Ｔ１に入り込むことができるように、α１≦β１（具体的には、α１＝β１又はα１≒β１）に形成され、係止片２２４が幅狭部Ｔ３の位置では折り出し板部２００、２０２と係止するように、α１＞β２に形成され、また、幅狭部２２５が折り出し板部２００と折り出し板部２０２間に形成される開口部Ｔにおける幅狭部Ｔ３に入り込むことができるように、α２≦β２（具体的には、α２＝β２又はα２≒β２）に形成され、ポケット中間板部２３０の突状部２３０ｂが幅広部Ｔ１に入り込み、幅狭部Ｔ３には入り込まないようにするために、β２＜α３≦β１に形成され、好適には、突状部２３０ｂが幅広部Ｔ１に嵌合するためにα３＝β１又はα３≒β１に形成されている。
【００４１】
また、ポケット構成部Ｐを組み立てた際に、ポケット中間板部２３０の突状部２３０ｂが幅広部Ｔ１に嵌合するように、ポケット中間板部２３０の本体部２３０ａの上下方向の長さγ１は、ポケット正面板部２１０の両側から上方に突出した部分を除く部分（基端部分）の上下方向の長さγ２（折れ線Ｃ２１０と折れ線Ｃ２３０間の長さ）と同一（略同一としてもよい）に形成されている。
【００４２】
また、ポケット構成部Ｐを組み立てた際に、係止片２２４が折り出し板部２００と折り出し板部２０２間に形成される開口部Ｔに入り込むように、ポケット背面板部２２０における折れ線Ｃ２２０と幅広部２２６の横方向の先端間の上下方向における長さγ３は、ポケット正面板部２１０における折れ線Ｃ２１０と折れ線Ｃ２２０間の長さγ４と略同一となっている。また、本体部２２２における折れ線Ｃ２２０と折れ線Ｃ２２０の反対側の辺部間の長さは、長さγ４よりも小さく形成されている。
【００４３】
正面部１０は上記のように構成されていて、正面部１０は、正面部１０の外形を有するシート状部材に、切目線と折れ線を形成することにより形成される。
【００４４】
なお、正面部１０において、ミシン目状の切込みにより形成した切目線は、連続した切込みにより形成してもよく、また、連続した切込みにより形成した切目線は、ミシン目状の切込みにより形成してもよい。例えば、切目線Ｋ２００、Ｋ２０２、Ｋ２１０は、ミシン目状の切込みであるとしたが、連続した切込みにより構成してもよく、また、切目線Ｋ２０１、Ｋ２０３、Ｋ２３０、Ｋ２３１、Ｋ２３２は、連続した切込みであるとしたが、ミシン目状の切込みとしてもよい。
【００４５】
また、側面部２０は、正面部１０の正面本体部１２の正面視における右側の端部から折れ線を介して連設され、方形状における上側の一部を切り欠いた形状を呈し、その上端の縁部は、凹凸形状に形成され、背面側の端部においては、背面部４０の上端の縁部の高さと同じに形成されている。この側面部２０は、本体部２２と、分離部２４とを有している。
【００４６】
ここで、側面部２０の上端の領域の一部に切目線（第１切目線）Ｋ２と切目線Ｋ４とからなる境界線で区画することにより分離部２４が形成されている。切目線Ｋ２は、ミシン目状の切込み（間隔をおきながら形成された切込み）（切断予定線）であり、切目線Ｋ４は、連続した切込みにより形成されている。本体部２２は、側面部２０における分離部２４を除いた領域となる。
【００４７】
すなわち、切目線Ｋ２は、横方向（略水平方向）に略円弧状に形成され、切目線Ｋ４は、切目線Ｋ２の背面側の端部から垂直方向（つまり、水平方向（側面部２０の下辺の方向）に直角の方向）に直線状に形成されている。つまり、分離部２４は、側面部２０の上端の領域の一部、すなわち、正面部側の端部から背面部側の端部にまでの上端の縁部に接する領域に形成され、本体部２２と切目線Ｋ２を介して分離可能に形成されている。
【００４８】
分離部２４は、正面側と背面側が直線状に形成され、上面側と下面側が円弧状に形成されている。分離部２４の正面側と背面側の辺部は垂直方向に形成されている。つまり、分離部２４の下辺は切目線Ｋ２により形成され、分離部２４の背面側の辺部は切目線Ｋ４により形成されている。
【００４９】
分離部２４の形状は、外箱部Ａ２の側面の片部１２６を外側に回動させることにより、分離部２４を本体部２２から分離し、その後、外箱部Ａ２を上方に引き上げる際に支障とならないように形成されている。つまり、分離された分離部２４が本体部２２に対して上方に移動する際に支障とならないように、分離部２４は、側面部２０の上端の領域の一部、すなわち、側面部２０の正面側の端部から背面側の端部までの上端の縁部に接する領域の一部に設けられ、切目線Ｋ４は、水平方向に対して９０度以下（具体的には、９０度）に形成されている。つまり、切目線Ｋ４の角度が９０度よりも大きくなってしまうと、分離部２４を本体部２２に対して上方に移動させる際に、本体部２２が支障となる可能性があるが、本実施例の場合にはそのようなおそれがない。
【００５０】
本体部２２は、側面部２０における分離部２４以外の部分であり、全体に略Ｌ字状を呈し、その屈曲部の内側に分離部２４が形成されているといえる。
【００５１】
この分離部２４の形成位置は、外箱部Ａ２の片部１２６の裏側の領域であり、分離部２４は片部１２６の裏側に接着され、片部１２６を外側に回動させることにより、分離部２４も片部１２６の裏側に接着したまま切目線Ｋ２が破断されて、分離部２４が本体部２２から分離するように形成されている。分離部２４は、片部１２６よりも小さく形成されていて、分離部２４の外形が片部１２６の外形よりもはみだすことがない。
【００５２】
また、側面部３０は、正面部１０の正面視における左側の端部から折れ線を介して連設され、方形状における上側の一部を切り欠いた形状を呈し、その上端の縁部は、凹凸形状に形成され、背面側の端部においては、背面部４０の上端の縁部の高さと同じに形成されている。この側面部３０は、本体部３２と、分離部３４とを有している。この側面部３０の構成は、側面部２０と前後方向に垂直な仮想的な平面である中心面を介して対称に形成されていて、本体部３２は本体部２２と対称（展開状態では線対称）に形成され、分離部３４は分離部２４と対称（展開状態では線対称）に形成されていることから詳しい説明を省略する。
【００５３】
なお、側面部３０の上端の領域の一部に切目線（第１切目線）Ｋ６と切目線Ｋ８とからなる境界線で区画することにより分離部３４が形成されている。切目線Ｋ６は、ミシン目状の切込み（間隔をおきながら形成された切込み）（切断予定線）により形成され、切目線Ｋ８は、連続した切込みにより形成されている。
【００５４】
また、分離部３４の形成位置は、外箱部Ａ２の片部１３６の裏側の領域であり、分離部３４は片部１３６の裏側に接着され、片部１３６を外側に回動させることにより、分離部３４も片部１３６の裏側に接着したまま切目線Ｋ６が破断されて、分離部３４が本体部３２から分離するように形成されている。
【００５５】
また、背面部４０は、側面部２０の右側面視における右端から折れ線を介して連設され、方形状（長方形状）を呈している。この背面部４０の横幅は、正面部の横幅と同一に形成され、背面部４０の縦幅は、側面部２０、３０の縦幅（最大縦幅）と同一に形成されている。
【００５６】
また、糊代部４２は、側面部３０の左側面視における左端から折れ線を介して連設され、縦方向に細長の帯状台形形状を呈している。この糊代部４２は、図３に示すように、その外側の面が背面部４０の内側の面に接着されている。
【００５７】
また、底面部５０は、正面部本体１２の下辺から折れ線を介して連設されたフラップ部６０と、側面部２０の下辺から折れ線を介して連設された長方形状の底面部本体７０と、側面部３０の下辺から折れ線を介して連設された長方形状の底面部本体８０と、背面部４０の下辺から折れ線を介して連設されたフラップ部９０とを有している。フラップ部６０とフラップ部９０は、方形状の２つの角部を斜めに欠切した形状を呈している。また、底面部本体７０は、本体部２２の横方向の長さと略同一の長さを有し、正面部本体１２の横方向の長さの略１／２の幅を有し、底面部本体８０は、側面部本体３２の横方向の長さと略同一の長さを有し、背面部４０の横方向の長さの略１／２の幅を有している。底面部本体７０と底面部本体８０により、スリーブ状部５を広げた状態の底部をカバーする。
【００５８】
内箱部Ａ１を箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部３０との角度を小さくし、背面部４０と側面部２０との角度を小さくさせることにより、図９に示すように、内箱部Ａ１が全体に平板状に折り畳むことができる。
【００５９】
また、正面部１０における正面本体部１２以外の構成、すなわち、折り出し板部２００、２０２と、ポケット正面板部２１０と、ポケット背面板部２２０と、ポケット中間板部２３０とを組み立てることにより、ポケット状の収納部が形成される。
【００６０】
次に、外箱部Ａ２は、内箱部Ａ１を覆う箱体であり、図１〜図４、図８等に示すように、スリーブ状部（外側スリーブ状部）１０５と、上面部１６０、１７０、１８０、１９０とを有していて、その展開状態は、図８に示すように形成されている。
【００６１】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００６２】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００６３】
また、側面部１２０は、正面部１１０の正面視における右側の端部から折れ線Ｋ１２を介して連設され、方形状を呈し、切目線（第２切目線）１２２と切目線１２４ａ、１２４ｂが形成されている。
【００６４】
ここで、切目線１２２は、ミシン目状の切込み（間隔をおきながら形成された切込み）（切断予定線）により形成され、略コ字状を呈し、横方向に形成された略円弧状の切目線１２２ａと、切目線１２２ａの端部（右側面視における左側の端部）から下側に向けて縦方向（側面部１２０の下辺と略直角な方向）に形成された直線状の切目線１２２ｂと、切目線１２２ｂの下端から横方向で切目線１２２ａに対して平行に形成された略円弧状の切目線１２２ｃにより、全体に略コ字状に形成されている。また、切目線１２２ａの長さと切目線１２２ｃの長さは略同一に形成されている。この切目線１２２ａと切目線１２２ｃ間の幅は、内箱部Ａ１の分離部２４の縦方向の幅よりも大きく形成され、また、切目線１２２ａや切目線１２２ｃの長さは、分離部２４の横方向の幅よりも大きく形成されている。以上のように、切目線１２２と、切目線１２２ａ及び切目線１２２ｃの切目線１２２ｂ側とは反対側の端部間を結ぶ折れ線Ｃ１２６により囲まれた領域が、片部１２６となる。
【００６５】
また、切目線１２２ｂの上端から下端に向けての途中位置には、切目線１２２ａや切目線１２２ｃが設けられている側とは反対側に、横方向に互いに平行な切目線１２４ａ、１２４ｂが形成されている。つまり、切目線１２４ａと切目線１２４ｂは、互いに平行に形成され、連続した切込みにより形成されている。また、切目線１２４ａは、切目線１２２ａよりも下側に形成され、切目線１２４ｂは、切目線１２２ｃよりも上側に形成されている。以上のように、切目線１２４ａと、切目線１２４ｂと、切目線１２２ｂと、切目線１２４ａ及び切目線１２４ｂの切目線１２２ｂ側とは反対側の端部間を結ぶ直線状の折れ線Ｃ１２８により囲まれた領域が、片部１２８となる。この側面部１２０の横幅は、内箱部Ａ１を外箱部Ａ２内に収納することができるように、側面部２０の横幅よりも若干大きく形成されている。
【００６６】
なお、正面部１１０と側面部１２０の境界位置には、所定間隔で切込みが形成された（つまり、折曲しやすいように切込みが形成されている）直線状の折れ線Ｋ１２が互いに平行に２本形成されている。また、側面部１２０と正面部１１０の間の位置における下側には、縦長の開口部Ｋ１４が形成されている。
【００６７】
また、側面部１３０は、正面部１１０の正面視における左側の端部から折れ線Ｋ１６を介して連設され、方形状を呈し、切目線（第２切目線）１３２と切目線１３４ａ、１３４ｂが形成されている。
【００６８】
この側面部１３０の構成は、側面部１２０と前後方向に垂直な仮想的な平面である中心面を介して対称に形成されていて、切目線１３２は、切目線１２２と対称に形成され、横方向に形成された切目線１３２ａと、切目線１３２ａの端部（左側面視における右側の端部）から下側に向けて縦方向に形成された切目線１３２ｂと、切目線１３２ｂの下端から横方向で切目線１３２ａに対して略平行に形成された切目線１３２ｃにより、全体に略逆コ字状に形成されている。切目線１３２は、ミシン目状の切込み（間隔をおきながら形成された切込み）（切断予定線）により形成されている。また、切目線１３２ｂの上端から下端に向けての途中位置には、切目線１３２ａや切目線１３２ｃが設けられている側とは反対側に、横方向に互いに平行な切目線１３４ａ、１３４ｂが形成されている。切目線１３４ａ、１３４ｂは、連続した切込みにより形成されている。そして、切目線１３２と、切目線１３２ａ及び切目線１３２ｃの切目線１３２ｂ側とは反対側の端部間を結ぶ直線状の折れ線Ｃ１３６により囲まれた領域が、片部１３６となり、また、切目線１３４ａと、切目線１３４ｂと、切目線１３２ｂと、切目線１３４ａ及び切目線１３４ｂの切目線１３２ｂ側とは反対側の端部間を結ぶ直線状の折れ線Ｃ１３８により囲まれた領域が、片部１３８となる。切目線１３２の詳しい構成は、切目線１２２と対称である以外は同一の構成であるので、詳しい説明を省略し、また、切目線１３４ａ、１３４ｂの詳しい構成は、切目線１２４ａ、１２４ｂと対称である以外は同一の構成であるので、詳しい説明を省略する。
【００６９】
なお、正面部１１０と側面部１３０の境界位置には、所定間隔で切込みが形成された（つまり、折曲しやすいように切込みが形成されている）直線状の折れ線Ｋ１６が形成されている。また、側面部１３０と正面部１１０の間の位置における下側には、縦長の切欠部Ｋ１８が形成されている。、外箱部Ａ２には、開口部Ｋ１４や切欠部Ｋ１８が設けられているので、正面部１１０や側面部１２０、１３０の下端が外側と内側間を移動する余裕があり、外箱部Ａ２を容易に引き上げることができる。
【００７０】
また、背面部１４０は、側面部１２０の右側面視における右端から折れ線Ｋ２０を介して連設され、方形状を呈している。この背面部１４０の横幅は、内箱部Ａ１を外箱部Ａ２内に収納することができるように、背面部４０の横幅よりも若干大きく形成されている。
【００７１】
また、糊代部１４２は、背面部１４０の背面視における右端から折れ線（所定間隔で切込みが形成された（つまり、折曲しやすいように切込みが形成されている）直線状の２本の互いに平行な折れ線Ｋ２２）を介して連設され、縦方向に細長の帯状台形形状を呈している。この糊代部１４２は、図２に示すように、その内側の面が側面部１３０の外側の面に接着されている。
【００７２】
また、正面部１１０と側面部１２０、１３０と背面部１４０の縦幅は同一に形成されていて、内箱部Ａ１の縦幅と同一又は若干大きく形成されている。
【００７３】
また、上面部１６０は、正面部１１０の上端から折れ線を介して連設され、方形状（長方形状）における先端側の２つの角部を斜めに欠切した形状を呈している。また、上面部１７０は、側面部１２０の上端から折れ線を介して連設され、方形状（長方形状）を呈している。この上面部１７０と上面部１６０との間には隙間が形成されている。また、上面部１８０は、側面部１３０の上端から折れ線を介して連設され、方形状（長方形状）を呈している。この上面部１８０と上面部１６０との間には隙間が形成されている。また、上面部１９０は、背面部１４０の上端から折れ線を介して連設され、方形状（長方形状）における先端側の１つの角部を斜めに欠切した形状を呈している。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。なお、外箱部Ａ２の展開状態においては、図８に示すように、上面部１６０〜１９０における隣接した上面部においては、隙間Ｋ２４、Ｋ２６、Ｋ２８が形成されている。なお、蓋部としての上面部１６０〜１９０はスリーブ状部１０５の上端の各辺から連設されているが、少なくとも１つの上面部から連設されていればよい。
【００７４】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００７５】
次に、内箱部Ａ１と外箱部Ａ２とは、分離部２４、３４の箇所で互いに接着されている。つまり、分離部２４の外側の面と側面部１２０（特に、片部１２６）の内側の面とが接着剤その他の接着手段により接着されるとともに、分離部３４の外側の面と側面部１３０（特に、片部１３６）の内側の面とが接着剤その他の接着手段により接着されることにより、包装箱Ａが全体に一体に形成される。つまり、分離部２４の外側の面の全部又は一部の領域と側面部１２０の内側の面の間には接着剤層（図示せず）が設けられていて、同様に、分離部３４の外側の面の全部又は一部の領域と側面部１３０の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２６を外側に回動させた際に、同時に分離部２４の下側の切目線Ｋ２が破れて、分離部２４が内箱部Ａ１から分離し、回動させた片部１２６に接着した状態で片部１２６に従動するように設定されていて、同様に、外箱部Ａ２の片部１３６を外側に回動させた際に、同時に分離部３４の下側の切目線Ｋ６が破れて、分離部３４が内箱部Ａ１から分離し、回動させた片部１３６に接着した状態で片部１３６に従動するように設定されている。
【００７６】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００７７】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図９に示すように平板状に折り畳むことができる。
【００７８】
なお、上記内箱部Ａ１、外箱部Ａ２において、各折れ線の箇所には、予め罫線が形成されている。
【００７９】
上記構成の包装箱Ａの使用状態について説明する。包装箱Ａを使用しない状況では、上記のように包装箱Ａは平板状に折り畳むことができるので、折り畳んで保管しておく。
【００８０】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００８１】
そして、図１１に示すように、包装箱Ａの上方から複数の被収納物（商品）Ｇを内箱部Ａ１内に収納する。図１１は、箱状の商品である例を示しているが、他の被収納物であってもよい。なお、上面部１６０〜１９０は、予め上方に立設した状態になっていて、外箱部Ａ２の上方が開口した状態になっているので、被収納物Ｇはそのまま包装箱Ａの上方から収納すればよい。その後、上面部１６０〜１９０を閉状態にして、接着テープＴを外箱部Ａ２の正面部１１０から上面を経て背面部１４０側にまで接着させることにより、図１２に示すように、上面部１６０〜１９０を封止する。
【００８２】
以上のようにして、被収納物を包装箱Ａに包装したら、被収納物Ｇを収納した包装箱Ａを被収納物Ｇを陳列する場所に搬送する。
【００８３】
その後、被収納物を陳列する場合には、外箱部Ａ２を内箱部Ａ１から分離する。すなわち、図１３に示すように、外箱部Ａ２の側面部１２０の片部１２８を内側に押し込むことにより片部１２６の先端に指を引っかけることができるようにした後に、片部１２６を外側に回動させる。つまり、折れ線Ｃ１２６が回動軸となって片部１２６が水平方向に回動する。
【００８４】
同様に、外箱部Ａ２の側面部１３０の片部１３８を内側に押し込むことにより片部１３６の先端に指を引っかけることができるようにした後に、片部１３６を外側に回動させる。つまり、折れ線Ｃ１３６が回動軸となって片部１３６が水平方向に回動する。なお、片部１２６、１３６が回動する際の回動軸となる折れ線Ｃ１２６、Ｃ１３６の箇所には、罫線を形成しておかなくても片部１２６、１３６を回動させることにより自然と折れ線が形成されるが、予め該折れ線の箇所に罫線を形成しておいてもよい。
【００８５】
すると、外箱部Ａ２の片部１２６を外側に回動させた際に、同時に分離部２４の下側の切目線Ｋ２が破れて、分離部２４が内箱部Ａ１から分離し、回動させた片部１２６に接着した状態で片部１２６に従動する。同様に、外箱部Ａ２の片部１３６を外側に回動させた際に、同時に分離部３４の下側の切目線Ｋ６が破れて、分離部３４が内箱部Ａ１から分離し、回動させた片部１３６に接着した状態で片部１３６に従動する。
【００８６】
そして、図１４に示すように、外箱部Ａ２を上方に引き上げることにより、被収納物を収納した状態で、かつ、分離部２４、３４が分離した状態の内箱部Ａ１が残るので、その後、ポケット構成部Ｐを組み立てる。
【００８７】
ポケット構成部Ｐを組み立てる際には、図１５〜図１９に示すように組立てを行なう。なお、図１５〜図１８においては、ポケット構成部Ｐの状態を分かりやすくするために商品を省略して描いている。
【００８８】
まず、図１５に示すように、ポケット構成部Ｐにおける折り出し板部２００、２０２以外の構成（ポケット正面板部２１０とポケット背面板部２２０とポケット中間板部２３０）を正面本体部１２に対して手前に引き出して、折り出し板部２００、２０２を正面本体部１２に対して回動させる。つまり、折り出し板部２００、２０２を正面本体部１２に対して正面側に折れ線Ｃ２００、Ｃ２０２を中心に折り曲げる。すると、折り出し板部２００と折り出し板部２０２間には開口部Ｔが形成される。この操作は、片手で行なうことができる。
【００８９】
その後、図１６に示すように、ポケット背面板部２２０をポケット正面板部２１０に対して折れ線Ｃ２２０、Ｃ２２１を中心に（折れ線Ｃ２２０、Ｃ２２１を介してとしてもよい）背面側に折り曲げるとともに、ポケット中間板部２３０をポケット正面板部２１０に対して折れ線Ｃ２３０を中心に（折れ線Ｃ２３０を介してとしてもよい）背面側に折り曲げる。この操作は、中指と薬指と小指とを開口部Ｔに入れた状態で、親指でポケット背面板部２２０を折り曲げ、人差し指でポケット中間板部２３０を折り曲げることにより、片手で行なうことができる。
【００９０】
そして、ポケット正面板部２１０を一対の折り出し板部２００、２０２に対して背面側に折れ線Ｃ２１０、Ｃ２１１を中心に（折れ線Ｃ２１０、Ｃ２１１を介してとしてもよい）折り曲げ、ポケット背面板部２２０をポケット正面板部２１０の背面側に回動させて、ポケット背面板部２２０によりポケット中間板部２３０を押しながら係止片２２４を開口部Ｔの幅広部Ｔ１に挿通する（図１７参照）。例えば、親指と人差し指とでポケット背面板部２２０をつまんだ状態で操作する。この操作も片手で行なうことができる。
【００９１】
係止片２２４を幅広部Ｔ１に挿通した状態で、ポケット背面板部２２０を支持していた手を離すと、ポケット正面板部２１０に対して折り曲げた状態のポケット背面板部２２０が元に戻ろうとしてポケット背面板部２２０とポケット正面板部２１０のなす角度が大きくなり、係止片２２４の幅狭部２２５が開口部Ｔにおける幅狭部Ｔ３に入り込み、係止片２２４は、一対の折り出し板部２００、２０２に係止される。なお、幅広部Ｔ１と幅狭部Ｔ３の間には、幅変化部Ｔ２が設けられているので、係止片２２４は、幅広部Ｔ１からスムーズに幅狭部Ｔ３に移動する。一方、ポケット中間板部２３０は、ポケット正面板部２１０に対して折り返した状態とすることにより、突状部２３０ｂが開口部Ｔの幅広部Ｔ１（つまり、切目線Ｋ２０１−１と切目線Ｋ２０３−１の間）に嵌合する。なお、ポケット中間板部２３０の突状部２３０ｂの幅α３が、長さβ１より小さく長さβ２より大きい場合には、突状部２３０ｂは幅変化部Ｔ２（つまり、切目線Ｋ２０１−２と切目線Ｋ２０３−２の間）に嵌合する。以上のようにして、ポケット構成部Ｐが組み立てられて、図１８、図１９に示すように、ポケットＱが形成される。
【００９２】
ポケットＱが形成された状態では、ポケット背面板部２２０の係止片２２４は幅狭部Ｔ３に位置することから、ポケット背面板部２２０は前後方向において幅狭部Ｔ３の位置にあり、ポケット背面板部２２０の背面側の面は、正面本体部１２の正面側の面に接し、一方、ポケット中間板部２３０の突状部２３０ｂは幅広部Ｔ１に位置することから、ポケット中間板部２３０は前後方向において幅広部Ｔ１の位置にあるので、ポケット背面板部２２０とポケット中間板部２３０とは間隔を介して互いに略平行に設けられる。
【００９３】
また、ポケット正面板部２１０は、正面本体部１２に対して傾斜した状態となり、側面視においては、ポケット正面板部２１０とポケット背面板部２２０と折り出し板部２００、２０２は略三角形状を呈する。
【００９４】
以上のようにして、ポケット背面板部２２０とポケット中間板部２３０とポケット正面板部２１０の上側部分と一対の折り出し板部２００、２０２で囲まれたポケット（「ポケット状の収納部」としてもよい）Ｓを形成することができる。このポケットＱに商品の広告や説明等を記載したカードを収納して使用する。よって、内箱部Ａ１の正面側に商品の広告や説明等を記載したカードを配置した状態で、被収納物を内箱部Ａ１に収納した状態で被収納物を陳列することができる。特に、ポケットＱは正面側に突出して設けられるため、商品を収納した状態の内箱部Ａ１を棚に置いた状態では、棚に載置される物の脱落を防止し、値札を設置するためのプライスレールを正面側に超えて収納部を配置できるので、ポケットＱに収納されたカードをユーザに気づきやすくして販促効果を高めることができる。
【００９５】
また、ポケット背面板部２２０とポケット中間板部２３０とが間隔を介して略平行に設けられるので、カードを収納しやすくすることができる。なお、突状部２３０ｂの幅広部Ｔ１への嵌合が外れて突状部２３０ｂがポケット背面板部２２０に接した場合でも、ポケット中間板部２３０の上端（つまり、折れ線Ｃ２３０側）はポケット背面板部２２０とは前後方向に離れているので、カードを収納する空間が前後方向に確保でき、カードを収納部に収納するのに支障となることがない。
【００９６】
また、ポケット構成部ＰをポケットＱの形に組み立てるに際して、上記のように、ポケット構成部Ｐにおける折り出し板部２００、２０２以外の構成を正面本体部１２に対して手前に引き出し、その後、ポケット背面板部２２０とポケット中間板部２３０とをポケット正面板部２１０に対して折り曲げ、係止片２２４を開口部Ｔに挿通するのみで組み立てることができるので、片手で極めて簡単に組み立てることができる。
【００９７】
なお、外箱部Ａ２には、開口部Ｋ１４と切欠部Ｋ１８が設けられていて、正面部１１０や側面部１２０、１３０の下端が外側と内側間を移動する余裕があるので、外箱部Ａ２を容易に引き上げることができる。
【００９８】
また、被収納物の陳列状態においては、内箱部Ａ１における正面部１０の高さ方向の長さは、背面部４０の高さ方向の長さよりも小さく形成されているので、正面部１０を正面側として陳列することにより被収納物をユーザから見やすくすることができる。
【００９９】
本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【０１００】
また、本実施例の包装箱Ａによれば、、外箱部Ａ２の側面部１２０、１３０の片部１２８、１３８を内側に押し込むことにより片部１２６、１３６の先端に指を引っかけることができるようにした後に、片部１２６、１３６を外側に回動させて、分離部２４、３４を内箱部Ａ１から分離して外箱部Ａ２を上方に引き上げるのみで陳列することができるので、陳列作業を容易に行なうことができる。
【０１０１】
なお、上記の説明において、外箱部Ａ２においては、スリーブ状部１０５を構成する正面部１１０と側面部１２０の境界位置に開口部Ｋ１４が設けられ、正面部１１０と側面部１３０の境界位置に切欠部Ｋ１８が設けられているとして説明したが、同様の構成の開口部又は切欠部を側面部１２０と背面部１４０の境界位置や側面部１３０と背面部１４０の境界位置に設けるようにしてもよい。
【０１０２】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【符号の説明】
【０１０３】
Ａ 包装箱
Ａ１ 内箱部
Ａ２ 外箱部
５、１０５ スリーブ状部
１０、１１０ 正面部
１２  正面本体部
２０、３０、１２０、１３０ 側面部
２２、３２ 本体部
２４、３４ 分離部
４０、１４０ 背面部
４２、１４２ 糊代部
５０ 底面部
６０、９０  フラップ部
７０、８０  底面部本体
１２６、１２８、１３６、１３８ 片部
１６０、１７０、１８０、１９０ 上面部
２００、２０２  折り出し板部
２１０  ポケット正面板部
２２０  ポケット背面板部
２２２、２１０ａ、２３０ａ  本体部
２２４  係止片
２３０  ポケット中間板部
Ｋ２、Ｋ４、Ｋ６、Ｋ８、Ｋ２００、Ｋ２０１、Ｋ２０２、Ｋ２０３、Ｋ２１０、Ｋ２３０、Ｋ２３１、Ｋ２３２、１２２、１２４ａ、１２４ｂ、１３２、１３４ａ、１３４ｂ、Ｋ２０１−１、Ｋ２０１−２、Ｋ２０１−３、Ｋ２０３−１、Ｋ２０３−２、Ｋ２０３−３、Ｋ２３２−１、Ｋ２３２−２、Ｋ２３２−３、Ｋ２１１、Ｋ２１２  切目線
【図１】
0003168874.tif 000003
【図２】
0003168874.tif 000004
【図３】
0003168874.tif 000005
【図４】
0003168874.tif 000006
【図５】
0003168874.tif 000007
【図６】
0003168874.tif 000008
【図７】
0003168874.tif 000009
【図８】
0003168874.tif 000010
【図９】
0003168874.tif 000011
【図１０】
0003168874.tif 000012
【図１１】
0003168874.tif 000013
【図１２】
0003168874.tif 000014
【図１３】
0003168874.tif 000015
【図１４】
0003168874.tif 000016
【図１５】
0003168874.tif 000017
【図１６】
0003168874.tif 000018
【図１７】
0003168874.tif 000019
【図１８】
0003168874.tif 000020
【図１９】
0003168874.tif 000021